(57)【要約】      （修正有）【課題】ペットに関する情報を専門家ではない一般人にペットの洗浄・乾燥方法を教授することによって、一般人でもペットのグルーミングの一部がある程度正しく行えるようになるペット乾燥器を提供する。【解決手段】ペット乾燥器１は、ペットに関する情報を提供する情報提供部１１と、ペットを収容して温風により乾燥する箱型のペット乾燥部１２と、ペット乾燥器１の利用者が入金した利用金額を管理する料金管理部１３と、これらを制御する制御部とを備えている。利用者が、ペットを洗浄してペット乾燥部１１に収容し、料金管理部１３にある入金口に利用料金を入金すれば、ペット乾燥部１２内に一定の時間温風が吹き出してペットが乾燥するとともに、ペットの洗浄・乾燥に関する情報などが情報提供部１１から提供される。【選択図】図１
0003108761.tif 000002
【実用新案登録請求の範囲】
【請求項１】
ペットに関する情報を提供する情報提供部と、ペットを収容して温風により乾燥する箱型のペット乾燥部と、少なくとも情報提供部とペット乾燥部の起動及び停止を制御する制御部とを備えるペット乾燥器。
【請求項２】
ペットに関する情報が、ペットの洗浄・乾燥等のペットのグルーミングに関する情報である請求項１に記載のペット乾燥器。
【請求項３】
ペット乾燥部が、前面に開閉自在な透明扉が取り付けられた収容室を備えており、収容室の上内面には空気を暖めるヒーターとモータで駆動するファンとが取り付けられ前後左右の端部が下向きに曲がった覆板が設けてあり、ヒーターとファンの下方には、空気を透過するとともに、ペットがヒーターやファンに触れるのを防ぐ天板が設けてある請求項１又は請求項２に記載のペット乾燥器。
【請求項４】
ペット乾燥部が、マイナスイオンを発生するマイナスイオン発生部を備えている請求項１から請求項３の何れかに記載のペット乾燥器。
【請求項５】
利用者が入金したペット乾燥器の利用金額を管理する料金管理部を備えている請求項１から請求項４の何れかに記載のペット乾燥器。
【考案の詳細な説明】
【技術分野】
【０００１】
この考案は、洗浄したペットを乾燥するためのペット乾燥器、特に、ペットの洗浄、乾燥の仕方などのペットに関する情報を提供できるペット乾燥器に関する。
【背景技術】
【０００２】
ペットを飼っている人の多くは、ペットを衛生的に保つため、ペットの体を定期的に洗浄している。特に最近では屋内でペットを飼う人が多く、このような飼い主は頻繁にペットを洗浄している。このようなペットの洗浄は、ペットバス等にお湯をため、このバスの中にペットを入れシャンプー等の洗剤によりペットを洗って、ホース等で水をかけながら洗剤をすすぎ落とし、タオル等で毛や皮膚等についている表面の水滴を拭き取ったのちに、その毛をドライヤーによって乾かすことによって行われている。
【０００３】
さて、ペットの乾燥に使用するドライヤーには、小型のハンドドライヤーと、金属製アームの先端に取り付けた業務用のアーム型ドライヤー及びスタンド型ドライヤーと、ペットを収容して温風により乾燥する箱型ドライヤーとがあり、乾燥するペットの毛の長さや量に適切なドライヤーが使用されるが、中長毛種のペットの場合には、箱型ドライヤーにより大体乾燥したのち、ハンドドライヤーなどで毛先を伸ばすようにして乾燥する。
【０００４】
このような箱型ドライヤーとしては、ペットの上側からだけ温風を吹き付けて乾燥するペット乾燥器（例えば、特許文献１参照）、ヒーター、ファン、及び前面を除く壁面に通気孔を備えた箱型のペット収容室を備え、ヒーターで暖められた空気が通気孔を通じてペット収容室にいるペットの四方から吹き付けるペット乾燥器（例えば、特許文献２参照）、ペットの上側で生じた温風を側面に設けられた間隙を通じて運び、温風をペットの四方から吹き付けるペット乾燥器（例えば、特許文献３参照）などが挙げられる。
【０００５】
しかし、このような箱型ドライヤーの利用には専門的な知識が必要なため、ペットショップなどの専門店に配置され、一般人である飼い主では利用することができなかった。また、飼い主が、ペットの乾燥に加えて、ペットの洗浄を自分でしたくても、すなわち、ペットのグルーミングの一部を自分でしたくても、ペットの洗浄・乾燥作業に関する知識がないため、正しい方法で行うことができなかった。そのため、ペットの洗浄・乾燥作業はトリマーなどの専門家に依頼しなくてはならなかった。
【特許文献１】実公昭５３−５２８７２号公報
【特許文献２】実公昭５８−４４０５６号公報
【特許文献３】特公平０２−４１３０５号公報
【考案の開示】
【考案が解決しようとする課題】
【０００６】
そこで、この考案は、ペットに関する情報を専門家ではない一般人にペットの洗浄・乾燥作業の方法を教授することによって、一般人でもペットの洗浄・乾燥作業がある程度正しく行えるようになるペット乾燥器を提供することを課題とする。
【課題を解決するための手段】
【０００７】
この考案のペット乾燥器は、ペットに関する情報を提供する情報提供部と、ペットを収容して温風により乾燥する箱型のペット乾燥部と、ペット乾燥器の利用者が入金した利用金額を管理する料金管理部と、これらを制御する制御部とを備えている。利用者が、ペットを洗浄してペット乾燥部に収容し、料金管理部にある入金口に利用料金を入金すれば、ペット乾燥部内に一定の時間温風が吹き出してペットが乾燥するとともに、情報提供部がペットのグルーミングに関する情報などを提供する。
【考案の効果】
【０００８】
この考案のペット乾燥器により、ペットの専門家でない一般人であってもペットをある程度正しくペットの洗浄・乾燥作業ができるようになる。そのため、ペットの飼い主は、より自分のペットと接することができるようになるとともに、専門家に費用を支払う必要が減るのでペットの飼育にかかる費用を削減することができる。
【考案を実施するための最良の形態】
【０００９】
以下、図面に基づいてこの考案の一つの実施形態について説明するが、以下の説明によって実用新案登録請求の範囲に記載された考案の範囲は如何なる意味でも限定さない。
【００１０】
図１は、この考案にかかるペット乾燥器１を前側から見た全体斜視図であり、この図に示すように、ペット乾燥器１は情報提供部１１と、ペット乾燥部１２と、料金管理部１３とを備えている。また、ペット乾燥器１は、図示してはいないが、制御部１４を備えている。そこで、以下にこれら各部の構成などについて説明する。
【００１１】
情報提供部１１は、制御部１４からの指示によって起動して、音声と画像によって利用者に情報を伝え、停止するものである。また、情報提供部１１は、図１に示すように、画像を表示するモニタ１１ａと、音声を発するスピーカー１１ｂと、ペットに関する情報を記録再生する記録再生部（図示せず。）とを備えており、制御部１４の操作によって、記録再生部が記録しているペットに関する情報をモニタ画面１１ａとスピーカー１１ｂに再生する。
【００１２】
このような情報提供部１１の具体例としては、ＴＶ一体型ビデオ、ＴＶ一体型ＤＶＤプレイヤー、ＴＶとビデオ又はＤＶＤプレイヤーをケーブルで結んだもの等が挙げられる。また、上記モニタは、ＣＲＴ、液晶など通常の画像表示装置であれば特に限定することなく使用でき、記録再生部は画像と音声を記録・再生するものであれば、具体的には、ＤＶＤプレイヤーやビデオデッキなどであれば特に限定することなく使用できる。なお、記録再生部として市販のＤＶＤプレイヤーやビデオデッキを使用する場合には、これらの再生ボタンを金属やプラスチック製の治具によってＯＮの状態で固定し、電源のＯＮ／ＯＦＦだけで情報の再生・停止を制御する。
【００１３】
ペット乾燥部１２は、制御部１４からの操作によって、４０℃程度の温風を収容したペットに吹き付けて乾燥する箱型のものである。また、その縦断面図である図２に示すように、ペット乾燥部１２はペットを収容する収容室１２ａを備えており、収容室１２ａの前面にはガラス等からなる観音開きの前扉１２ｂが設けてある。
【００１４】
ペット収容室１２ａの上内面には、図２のＡ−Ａ線断面図である図３に示すように前後左右の端部が下向きに曲がった覆板１２ｃが設けてあり、覆板１２ｃにはヒーター１２ｄとファン１２ｅが取り付けてある。そして、ヒーター１２ｄとファン１２ｅの下方には、図２のＢ−Ｂ線断面図である図４に示すように、ペットがヒーター１２ｄやファン１２ｅに接触するのを防ぐとともに、空気の循環を遮断しないように、網部１２ｆを有する天板１２ｇが取り付けてある。また、図２のＣ−Ｃ線断面図である図５に示すように、収容室１２ａの下面には、スノコ１２ｈが敷かれている。
【００１５】
ペット収容室１２ａがこのような構造をしているため、ヒーター１２ｄで暖められた温風は、ファン１２ｅによって覆板１２ｃの各端部で下向きに進み、ペット収容室１２ａの側面や下面からペットに向かって吹き出してペットの毛に当り、これを乾燥させる。また、ペットに当った温風は、網部１２ｆから吸い上げられて、ヒーター１２ｄによって再度暖められ、ペット収容室１２ａの中を循環する。この際、網部１２ｆ直下の毛は温風とともに巻き上げられ、その根元が露出して根元から乾きやすくなる。そして、ペットがペット収容室１２ａ内を動くことによって巻き上げられる部分が変化し、一箇所だけではなく広い範囲の毛が巻き上げられるため、ペットの毛はすばやく乾燥する。
【００１６】
なお、ペット乾燥部１２にマイナスイオンを発生するマイナスイオン発生装部（例えば、特開２００４−２４９１２２号公報などを参照）を設けることにより、ペットの毛に潤いを与えて静電気を防止し、ペットをリラックスさせることができるとともに、ペット収容室１２ａの内部を消臭することもできる。また、ペット乾燥器１においては、ペット乾燥部１２ａ以外に、これよりもエネルギー効率や設置効率では劣るが、ペットの上側からだけ温風を吹き付けて乾燥するもの、ヒーター、ファン、及び前面を除く壁面に通気孔を備えた箱型のペット収容室を備え、ヒーターで暖められた空気が通気孔を通じてペット収容室にいるペットの四方から吹き付けるもの、であっても使用することができる。
【００１７】
料金管理部１３は、支払われた利用料金を管理するものであり、具体的には、病院の病室やホテルの客室に配置されるタイマー式ＴＶに取り付けられている料金タイマーと同様のものである。また、料金管理部１３は、その周囲を拡大した図である図６に示すように、その前面には入金口１３ａと、時間表示部１３ｂ、返金レバー１３ｃと、集金箱１３ｄと、制御部１４と接続する出力線１３ｅ（図７参照。）とを備えており、この他にも硬貨を識別し、適切な硬貨である場合には、その金額に基づいて乾燥時間を計算し、時間表示部１３ｂに表示させるとともに、乾燥時間が完了するまでの間出力線に通電する管理部（図示せず。）とを備えている。
【００１８】
そのため、ペット乾燥器１の利用者が、入金口１３ａに利用料金（例えば、１００円硬貨）を入金すると、入金された金額に基づく乾燥時間を時間表示部１３ｂに表示して、乾燥時間が完了するまで出力線１３ｅに通電するとともに、入金された利用料金が集金箱１３ｄに貯えられる。なお、利用者が返金レバー１３ｂを押し下げれば、利用料金が入金口１３ａから返金される。また、利用者が不適切な硬貨（例えば５円硬貨）を入金した場合には、これを入金口１３ａから排出する。
【００１９】
なお、ペット乾燥器１においては、料金管理部１３以外にも、例えば、複数の紙幣や硬貨の入金を受け付けて通知するものや、専用のコインやカードを受け付けるものを使用してもよい。
【００２０】
制御部１４は、料金管理部１３から信号を受けて、情報提供部１１とペット乾燥部１２の少なくとも起動及び停止を制御するものである。制御部１４は、ペット乾燥器１のブロック図である図７に示すように、情報提供部１１、ペット乾燥部１２及びこれらの電源である電源部１５と接続された電磁リレー１４ａやトランス１４ｂを含む電気回路によって構成されている。なお、電磁リレー１４ａのコイル側には、料金管理部１３の出力線１３ｅに連なるトランス１４ｂが接続されており、電磁リレー１４ａの接点側には電源部１５と、情報提供部１１とペット乾燥部１２の電源コードが接続されている。
【００２１】
このようにして構成された制御部１４においては、料金管理部１３の出力線が通電すると、電磁リレー１４ａのコイル側が通電してその接点を接続し、情報提供部１１及びペット乾燥部１２を起動させる。また、料金管理部１３の出力線１３ｅが通電しなくなると、電磁リレー１４ａのコイル側への通電が止まって接点が外れ、情報提供部１１及びペット乾燥部１２が停止する。
【００２２】
なお、情報提供部１１として市販のＴＶ、ビデオ、ＤＶＤプレイヤー等を使用する場合には、これらの起動・停止を電磁リレー１４ａによって電源をＯＮ／ＯＦＦすることにより制御するのではなく、これらの機器のリモコン受光部に赤外線発光ダイオード取り付け、この発光をＣＰＵ等からなるマイコン装置することにより間接的に制御してもよい。これによって、市販のＴＶ、ビデオデッキ、ＤＶＤプレイヤー等を改造せずに情報提供部１１として利用できるので、製造コストを下げることができるとともに、情報提供部１１の保守性が向上し、保守コストも下げることができる。そして、これと同時に、電磁リレー１４ａなどのように機械的部品を使用しなくなるので、制御部１４も故障し難くなり、保守コストをさらに下げることができる。
【００２３】
このようにして構成されたペット乾燥器１は、次のようにしてペットを乾燥し情報の提供を行う。まず、利用者が、ペットをペットバス等で洗浄してタオル等により表面の水滴を拭き取ったのち、ペットをペット乾燥部１２の収容室１２ａに収容して前扉１２ｂを閉じる。つぎに、利用者が料金管理部１３の入金口１３ａに利用料金を入金すると、料金管理部１３が乾燥時間を計算してその時間表示部１３ｂに表示して、出力線１３ｅに通電する。これにより、電磁リレー１４ａのコイルが通電して接点を接触し、情報提供部１１及びペット乾燥部１２を起動させ、情報の表示とペットの乾燥を開始する。そして、乾燥時間が過ぎると料金管理部１３が出力線１３ｅへの通電を停止し、電磁リレー１４ａの通電が止まって接点が外れ、情報提供部１１及びペット乾燥部１２と電源１５との間の接続が断たれ、情報提供部１１及びペット乾燥部１２が停止する。最後に、乾燥が済んだペットが収容室１２ａから連れ出される。なお、必要に応じて乾燥を何回か繰り返してもよく、ペットを乾燥させずに情報の提供だけを行ってもよい。
【００２４】
なお、本考案のペット乾燥器は、上記実施の形態のみに限定されるのではなく、実用新案登録請求の範囲内において様々な変更を加えてもよい。例えば、上記の実施の形態では、情報の提供とペットの乾燥を同期して行ったが、情報提供部１１にタッチパネルを設け、利用者の選択によりこれらを非同期で行えるようにしてもよい。また、同じく情報提供部１１にタッチパネルを設け、提供する情報の内容を利用者が選択できるようにしてもよい。
【図面の簡単な説明】
【００２５】
【図１】ペット乾燥器の全体斜視図である。
【図２】ペット乾燥部の縦断面図である。
【図３】Ａ−Ａ線断面図である。
【図４】Ｂ−Ｂ線断面図である。
【図５】Ｃ−Ｃ線断面図である。
【図６】料金管理部の周辺拡大図である。
【図７】ペット乾燥器のブロック図である。
【符号の説明】
【００２６】
１      ペット乾燥器
１１    情報提供部
１２    ペット乾燥部
１３    料金管理部
１４    制御部
【図１】
0003108761.tif 000003
【図２】
0003108761.tif 000004
【図３】
0003108761.tif 000005
【図４】
0003108761.tif 000006
【図５】
0003108761.tif 000007
【図６】
0003108761.tif 000008
【図７】
0003108761.tif 000009